(57)【特許請求の範囲】
【請求項１】
撮像テーマを他の撮像装置と共通とする撮像を行う撮像装置であって、
ユーザによる操作部の所定操作に基づいて、或いは、当該装置本体の外部から入力された前記撮像テーマを示す名称を取得する第１取得手段と、
前記第１取得手段による前記撮像テーマを示す名称の取得に基づいて、この撮像テーマを示す名称と関連付け情報により関連付けられ、且つ、当該名称と異なる名称が付加されたテーマ用フォルダを生成する生成手段と、
前記生成手段により生成されたテーマ用フォルダに、撮像手段により撮像された画像を格納する第１記録制御手段と、
前記第１取得手段により取得された前記撮像テーマを示す名称をファイル内に格納して記録する第２記録制御手段と、
を備え、
前記生成手段は、前記撮像テーマを示す名称が前記ファイル内に記録されているが、当該撮像テーマを示す名称と関連付けられたテーマ用フォルダが生成されていないと判定された場合に、当該撮像テーマを示す名称と関連付けられたテーマ用フォルダを新たに生成し、
前記第２記録制御手段は、前記生成手段により前記テーマ用フォルダが生成された場合に、前記ファイル内に既に格納されている前記撮像テーマを示す名称に加えて、前記テーマ用フォルダに付加された名称を追加して前記ファイル内に格納する
ことを特徴とする撮像装置。
【請求項２】
所定の処理を実行する際に、指定された撮像テーマを示す名称と前記関連付け情報により関連付けられたテーマ用フォルダの名称を取得し、この取得した名称が示すテーマ用フォルダに格納された画像を前記所定の処理の処理対象とすることを特徴とする請求項１に記載の撮像装置。
【請求項３】
前記ファイル内に前記撮像テーマを示す名称が記録されているか否かを判定する第１判定手段と、
前記生成手段によりテーマ用フォルダが生成されているか否かを判定する第２判定手段と、を更に備え、
前記生成手段は、前記第１判定手段により前記撮像テーマを示す名称が記録されていると判定され、且つ、前記第２判定手段により前記テーマ用フォルダが生成されていないと判定された場合に、前記撮像テーマを示す名称と関連付けられたテーマ用フォルダを新たに生成することを特徴とする請求項１または２に記載の撮像装置。
【請求項４】
撮像テーマを他の撮像装置と共通とする撮像を行う撮像装置であって、
ユーザによる操作部の所定操作に基づいて、或いは、当該装置本体の外部から入力された前記撮像テーマを示す名称を取得する第１取得手段と、
前記第１取得手段による前記撮像テーマを示す名称の取得に基づいて、この撮像テーマを示す名称と関連付け情報により関連付けられ、且つ、当該名称と異なる名称が付加されたテーマ用フォルダを生成する生成手段と、
前記生成手段により生成されたテーマ用フォルダに、撮像手段により撮像された画像を格納する第１記録制御手段と、
所定の通信回線を介して接続された他の撮像装置と通信する通信手段と、
当該装置本体の前記テーマ用フォルダと関連付けられている前記撮像テーマを示す名称と共通の撮像テーマを示す名称と関連付けられている前記他の撮像装置の前記テーマ用フォルダから読み出されて送信され、前記通信手段により受信された画像を取得する第２取得手段と、
前記第２取得手段により取得された画像及び当該装置本体の前記テーマ用フォルダに格納されている画像に対して、同一の所定の処理を行う処理手段と、
ユーザによる操作部の所定操作に基づいて入力されて前記第１取得手段により取得された前記撮像テーマを示す名称を前記通信手段により前記他の撮像装置に送信させる第１送信制御手段と、
前記他の撮像装置の前記撮像テーマを示す名称と関連付けられているテーマ用フォルダに格納されている画像の取得指示を前記通信手段により前記他の撮像装置に送信させる第２送信制御手段と、
を備え、
前記第２取得手段は、前記取得指示に基づいて前記他の撮像装置の前記テーマ用フォルダから読み出されて送信され、前記通信手段により受信された前記撮像テーマを示す名称と関連付けられている画像を取得し、
前記第１送信制御手段は、前記第１取得手段によりユーザによる操作部の所定操作に基づいて入力された前記撮像テーマを示す名称が取得された場合には、この前記撮像テーマを示す名称を前記通信手段により他の撮像装置に送信させ、前記第１取得手段により他の撮像装置から送信され受信された前記撮像テーマを示す名称が取得された場合には、この前記撮像テーマを示す名称を他の撮像装置に送信しない
ことを特徴とする撮像装置。
【請求項５】
前記第１取得手段は、前記撮像テーマに関連付けるべき撮影画像を指定するための撮像条件及び属性条件のうちの少なくとも一方を前記関連付け情報として更に取得し、
前記第２記録制御手段は、前記テーマ用フォルダに付加された名称と、前記撮像テーマを示す名称と、前記撮像条件及び属性条件のうちの少なくとも一方を示す情報とを対応付けて前記ファイルに記録し、
前記第１記録制御手段は、前記撮像手段により撮像された画像のうち、前記関連付け情報に係る撮影条件及び属性条件のうちの少なくとも一方により指定される画像を、前記関連付け情報に係る名称が示すテーマ用フォルダに格納することを特徴とする請求項１〜３の何れか一項に記載の撮像装置。
【請求項６】
前記第１記録制御手段は、前記撮像手段により撮像された所定数の画像のうち、任意の画像を、前記テーマ用フォルダに格納することを特徴とする請求項１〜５の何れか一項に記載の撮像装置。
【請求項７】
前記テーマ用フォルダに付加される名称は、所定の規格に準拠した所定の文字で構成された名称であり、
前記撮像テーマを示す名称は、前記所定の文字以外の文字を含んでなることを特徴とする請求項１〜６の何れか一項に記載の撮像装置。
【請求項８】
撮像テーマを他の撮像装置と共通とする撮像を行う撮像装置を用いた撮像方法であって、
ユーザによる操作部の所定操作に基づいて、或いは、当該装置本体の外部から入力された前記撮像テーマを示す名称を取得する処理と、
前記撮像テーマを示す名称の取得に基づいて、この撮像テーマを示す名称と関連付け情報により関連付けられ、且つ、当該名称と異なる名称が付加されたテーマ用フォルダを生成する処理と、
生成されたテーマ用フォルダに、撮像手段により撮像された画像を格納する処理と、
前記取得された前記撮像テーマを示す名称をファイル内に格納して記録する処理と、
を含み、
前記撮像テーマを示す名称が前記ファイル内に記録されているが、当該撮像テーマを示す名称と関連付けられたテーマ用フォルダが生成されていないと判定された場合に、当該撮像テーマを示す名称と関連付けられたテーマ用フォルダを新たに生成し、
前記テーマ用フォルダが新たに生成された場合に、前記ファイル内に既に格納されている前記撮像テーマを示す名称に加えて、前記テーマ用フォルダに付加された名称を追加して前記ファイル内に格納する
ことを特徴とする撮像方法。
【請求項９】
撮像テーマを他の撮像装置と共通とする撮像を行う撮像装置のコンピュータを、
ユーザによる操作部の所定操作に基づいて、或いは、当該装置本体の外部から入力された前記撮像テーマを示す名称を取得する第１取得手段、
前記第１取得手段による前記撮像テーマを示す名称の取得に基づいて、この撮像テーマを示す名称と関連付け情報により関連付けられ、且つ、当該名称と異なる名称が付加されたテーマ用フォルダを生成する生成手段、
前記生成手段により生成されたテーマ用フォルダに、撮像手段により撮像された画像を格納する第１記録制御手段、
前記第１取得手段により取得された前記撮像テーマを示す名称をファイル内に格納して記録する第２記録制御手段、
として機能させ、
前記生成手段は、前記撮像テーマを示す名称が前記ファイル内に記録されているが、当該撮像テーマを示す名称と関連付けられたテーマ用フォルダが生成されていないと判定された場合に、当該撮像テーマを示す名称と関連付けられたテーマ用フォルダを新たに生成し、
前記第２記録制御手段は、前記生成手段により前記テーマ用フォルダが生成された場合に、前記ファイル内に既に格納されている前記撮像テーマを示す名称に加えて、前記テーマ用フォルダに付加された名称を追加して前記ファイル内に格納する
ことを特徴とするプログラム。
【請求項１０】
撮像テーマを他の撮像装置と共通とする撮像を行う撮像装置を用いた撮像方法であって、
ユーザによる操作部の所定操作に基づいて、或いは、当該装置本体の外部から入力された前記撮像テーマを示す名称を取得する第１取得処理と、
前記第１取得処理による前記撮像テーマを示す名称の取得に基づいて、この撮像テーマを示す名称と関連付け情報により関連付けられ、且つ、当該名称と異なる名称が付加されたテーマ用フォルダを生成する生成処理と、
前記生成処理により生成されたテーマ用フォルダに、撮像手段により撮像された画像を格納する第１記録制御処理と、
所定の通信回線を介して接続された他の撮像装置と通信する通信処理と、
当該装置本体の前記テーマ用フォルダと関連付けられている前記撮像テーマを示す名称と共通の撮像テーマを示す名称と関連付けられている前記他の撮像装置の前記テーマ用フォルダから読み出されて送信され、前記通信処理により受信された画像を取得する第２取得処理と、
前記第２取得処理により取得された画像及び当該装置本体の前記テーマ用フォルダに格納されている画像に対して、同一の所定の処理を行う同一処理と、
ユーザによる操作部の所定操作に基づいて入力されて前記第１取得処理により取得された前記撮像テーマを示す名称を前記通信処理により前記他の撮像装置に送信させる第１送信制御処理と、
前記他の撮像装置の前記撮像テーマを示す名称と関連付けられているテーマ用フォルダに格納されている画像の取得指示を前記通信処理により前記他の撮像装置に送信させる第２送信制御処理と、
を含み、
前記第２取得処理は、前記取得指示に基づいて前記他の撮像装置の前記テーマ用フォルダから読み出されて送信され、前記通信処理により受信された前記撮像テーマを示す名称と関連付けられている画像を取得し、
前記第１送信制御処理は、前記第１取得処理によりユーザによる操作部の所定操作に基づいて入力された前記撮像テーマを示す名称が取得された場合には、この前記撮像テーマを示す名称を前記通信処理により他の撮像装置に送信させ、前記第１取得処理により他の撮像装置から送信され受信された前記撮像テーマを示す名称が取得された場合には、この前記撮像テーマを示す名称を他の撮像装置に送信しない
ことを特徴とする撮像方法。
【請求項１１】
撮像テーマを他の撮像装置と共通とする撮像を行う撮像装置のコンピュータを、
ユーザによる操作部の所定操作に基づいて、或いは、当該装置本体の外部から入力された前記撮像テーマを示す名称を取得する第１取得手段、
前記第１取得手段による前記撮像テーマを示す名称の取得に基づいて、この撮像テーマを示す名称と関連付け情報により関連付けられ、且つ、当該名称と異なる名称が付加されたテーマ用フォルダを生成する生成手段、
前記生成手段により生成されたテーマ用フォルダに、撮像手段により撮像された画像を格納する第１記録制御手段、
所定の通信回線を介して接続された他の撮像装置と通信する通信手段、
当該装置本体の前記テーマ用フォルダと関連付けられている前記撮像テーマを示す名称と共通の撮像テーマを示す名称と関連付けられている前記他の撮像装置の前記テーマ用フォルダから読み出されて送信され、前記通信手段により受信された画像を取得する第２取得手段、
前記第２取得手段により取得された画像及び当該装置本体の前記テーマ用フォルダに格納されている画像に対して、同一の所定の処理を行う処理手段、
ユーザによる操作部の所定操作に基づいて入力されて前記第１取得手段により取得された前記撮像テーマを示す名称を前記通信手段により前記他の撮像装置に送信させる第１送信制御手段、
前記他の撮像装置の前記撮像テーマを示す名称と関連付けられているテーマ用フォルダに格納されている画像の取得指示を前記通信手段により前記他の撮像装置に送信させる第２送信制御手段、
として機能させ、
前記第２取得手段は、前記取得指示に基づいて前記他の撮像装置の前記テーマ用フォルダから読み出されて送信され、前記通信手段により受信された前記撮像テーマを示す名称と関連付けられている画像を取得し、
前記第１送信制御手段は、前記第１取得手段によりユーザによる操作部の所定操作に基づいて入力された前記撮像テーマを示す名称が取得された場合には、この前記撮像テーマを示す名称を前記通信手段により他の撮像装置に送信させ、前記第１取得手段により他の撮像装置から送信され受信された前記撮像テーマを示す名称が取得された場合には、この前記撮像テーマを示す名称を他の撮像装置に送信しない
ことを特徴とするプログラム。
【発明の詳細な説明】
【技術分野】
【０００１】
本発明は、撮像装置、撮像方法及びプログラムに関する。
【背景技術】
【０００２】
従来、撮像された画像ファイルの管理のために、外部から取得した情報に基づいて画像データのファイル名や画像データが格納されるフォルダのフォルダ名等を設定する撮像装置が知られている（例えば、特許文献１参照）。
【先行技術文献】
【特許文献】
【０００３】
【特許文献１】特開２００６−２５３８７５号公報
【発明の概要】
【発明が解決しようとする課題】
【０００４】
しかしながら、上記特許文献１の技術は、単一の撮像装置を対象としているため、複数の撮像装置を用いる撮像については何ら考慮されていない。即ち、上記特許文献１の撮像装置では、複数の撮像装置を用いて撮像する場合には、各撮像装置毎に外部から情報を取得しなければならず、その作業が煩雑である。
【０００５】
そこで、本願発明の課題は、複数の撮像装置を用いて撮像された画像の管理を簡便に行うことができる撮像装置、撮像方法及びプログラムを提供することである。
【課題を解決するための手段】
【０００６】
上記課題を解決するため、本発明に係る撮像装置は、
撮像テーマを他の撮像装置と共通とする撮像を行う撮像装置であって、ユーザによる操作部の所定操作に基づいて、或いは、当該装置本体の外部から入力された前記撮像テーマを示す名称を取得する第１取得手段と、前記第１取得手段による前記撮像テーマを示す名称の取得に基づいて、この撮像テーマを示す名称と関連付け情報により関連付けられ、且つ、当該名称と異なる名称が付加されたテーマ用フォルダを生成する生成手段と、前記生成手段により生成されたテーマ用フォルダに、撮像手段により撮像された画像を格納する第１記録制御手段と、前記第１取得手段により取得された前記撮像テーマを示す名称をファイル内に格納して記録する第２記録制御手段と、を備え、前記生成手段は、前記撮像テーマを示す名称が前記ファイル内に記録されているが、当該撮像テーマを示す名称と関連付けられたテーマ用フォルダが生成されていないと判定された場合に、当該撮像テーマを示す名称と関連付けられたテーマ用フォルダを新たに生成し、前記第２記録制御手段は、前記生成手段により前記テーマ用フォルダが生成された場合に、前記ファイル内に既に格納されている前記撮像テーマを示す名称に加えて、前記テーマ用フォルダに付加された名称を追加して前記ファイル内に格納することを特徴としている。
【０００７】
また、本発明に係る他の態様の撮像装置は、
撮像テーマを他の撮像装置と共通とする撮像を行う撮像装置であって、ユーザによる操作部の所定操作に基づいて、或いは、当該装置本体の外部から入力された前記撮像テーマを示す名称を取得する第１取得手段と、前記第１取得手段による前記撮像テーマを示す名称の取得に基づいて、この撮像テーマを示す名称と関連付け情報により関連付けられ、且つ、当該名称と異なる名称が付加されたテーマ用フォルダを生成する生成手段と、前記生成手段により生成されたテーマ用フォルダに、撮像手段により撮像された画像を格納する第１記録制御手段と、所定の通信回線を介して接続された他の撮像装置と通信する通信手段と、当該装置本体の前記テーマ用フォルダと関連付けられている前記撮像テーマを示す名称と共通の撮像テーマを示す名称と関連付けられている前記他の撮像装置の前記テーマ用フォルダから読み出されて送信され、前記通信手段により受信された画像を取得する第２取得手段と、前記第２取得手段により取得された画像及び当該装置本体の前記テーマ用フォルダに格納されている画像に対して、同一の所定の処理を行う処理手段と、ユーザによる操作部の所定操作に基づいて入力されて前記第１取得手段により取得された前記撮像テーマを示す名称を前記通信手段により前記他の撮像装置に送信させる第１送信制御手段と、前記他の撮像装置の前記撮像テーマを示す名称と関連付けられているテーマ用フォルダに格納されている画像の取得指示を前記通信手段により前記他の撮像装置に送信させる第２送信制御手段と、を備え、前記第２取得手段は、前記取得指示に基づいて前記他の撮像装置の前記テーマ用フォルダから読み出されて送信され、前記通信手段により受信された前記撮像テーマを示す名称と関連付けられている画像を取得し、前記第１送信制御手段は、前記第１取得手段によりユーザによる操作部の所定操作に基づいて入力された前記撮像テーマを示す名称が取得された場合には、この前記撮像テーマを示す名称を前記通信手段により他の撮像装置に送信させ、前記第１取得手段により他の撮像装置から送信され受信された前記撮像テーマを示す名称が取得された場合には、この前記撮像テーマを示す名称を他の撮像装置に送信しないことを特徴としている。
【発明の効果】
【０００９】
本発明によれば、複数の撮像装置を用いて撮像された画像の管理を簡便に行うことができる。
【図面の簡単な説明】
【００１０】
【図１】本発明を適用した一実施形態の撮像システムの概略構成を示す図である。
【図２】図１の撮像システムを構成する撮像装置の概略構成を示すブロック図である。
【図３】テーマ用ファイルの一例を模式的に示す図である。
【図４】図２の撮像装置の記録媒体に記録される画像ファイルのファイル構成の一例を模式的に示す図である。
【図５】図２の撮像装置による撮像準備処理に係る動作の一例を示すフローチャートである。
【図６】図２の撮像装置による撮像処理に係る動作の一例を示すフローチャートである。
【図７】図１の撮像システムを構成する各撮像装置の動作を模式的に示す図である。
【発明を実施するための形態】
【００１１】
以下に、本発明について、図面を用いて具体的な態様を説明する。ただし、発明の範囲は、図示例に限定されない。
【００１２】
図１は、本発明を適用した本実施形態の撮像システム１００の概略構成を示す図である。
図１に示すように、本実施形態の撮像システム１００は、連携撮像可能な複数の撮像装置１、…（図１には、３つ図示）を備え、これら撮像装置１、…の中で、連携撮像のマスタとなる何れか一の撮像装置１（１Ａ）と、スレーブとなる残りの他の撮像装置１（１Ｂ）との間で無線通信回線を介して情報通信可能に接続される。
なお、連携撮像とは、複数の撮像装置１、…で被写体や撮像のテーマを共通とする撮像や、複数の撮像装置１、…による撮像動作を連動させた撮像等のことである。
【００１３】
撮像装置１は、マスタとなるかスレーブとなるかによって動作の内容が異なるものの、構成自体は略同様となっている。
以下に、撮像装置１について、図２を参照して説明する。
【００１４】
図２は、撮像装置１の概略構成を示すブロック図である。
図２に示すように、撮像装置１は、中央制御部１０１と、メモリ１０２と、撮像部１０３と、画像データ処理部１０４と、表示部１０５と、操作入力部１０６と、無線処理部１０７と、テーマ処理部１０８と、ファイル記録部１０９と、撮像関連情報取得部１１０と、記録媒体制御部１１１とを備えている。
また、中央制御部１０１、メモリ１０２、撮像部１０３、画像データ処理部１０４、表示部１０５、無線処理部１０７、テーマ処理部１０８、ファイル記録部１０９、撮像関連情報取得部１１０及び記録媒体制御部１１１は、バスライン１１２を介して接続されている。
【００１５】
中央制御部１０１は、撮像装置１の各部を制御するものである。具体的には、中央制御部１０１は、図示は省略するが、ＣＰＵ（Central Processing Unit）、ＲＡＭ（Random Access Memory）、ＲＯＭ（Read Only Memory）を備え、撮像装置１用の各種処理プログラム（図示略）に従って各種の制御動作を行う。
【００１６】
メモリ１０２は、例えば、ＤＲＡＭ（Dynamic Random Access Memory）等により構成され、中央制御部１０１の他、当該撮像装置１の各部によって処理されるデータ等を一時的に記憶するものである。
【００１７】
撮像部１０３は、被写体を撮像する撮像手段を構成している。具体的には、撮像部１０３は、レンズ部１０３ａと、電子撮像部１０３ｂと、撮像制御部１０３ｃとを備えている。
【００１８】
レンズ部１０３ａは、例えば、ズームレンズやフォーカスレンズ等の複数のレンズから構成されている。
電子撮像部１０３ｂは、例えば、ＣＣＤ（Charge Coupled Device）やＣＭＯＳ（Complementary Metal-oxide Semiconductor）等のイメージセンサから構成され、レンズ部１０３ａの各種レンズを通過した光学像を二次元の画像信号に変換する。
なお、図示は省略するが、撮像部１０３は、レンズ部１０３ａを通過する光の量を調整する絞りを備えていても良い。
【００１９】
撮像制御部１０３ｃは、被写体の撮像を制御する。即ち、撮像制御部１０３ｃは、図示は省略するが、タイミング発生器、ドライバなどを備えている。そして、撮像制御部１０３ｃは、タイミング発生器、ドライバにより電子撮像部１０３ｂを走査駆動して、所定周期毎にレンズ部１０３ａにより結像された光学像を電子撮像部１０３ｂにより二次元の画像信号に変換させ、当該電子撮像部１０３ｂの撮像領域から１画面分ずつフレーム画像を読み出して画像データ処理部１０４に出力させる。
【００２０】
画像データ処理部１０４は、被写体の画像データを生成する。
即ち、画像データ処理部１０４は、処理手段として、撮像部１０３により撮像されるフレーム画像を逐次処理する。具体的には、画像データ処理部１０４は、電子撮像部１０３ｂから転送されたフレーム画像のアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。そして、画像データ処理部１０４は、生成された所定の解像度の画像データをメモリ１０２に出力する。
【００２１】
また、画像を記録する際には、画像データ処理部１０４は、被写体のＹＵＶデータを所定の符号化方式（例えば、ＪＰＥＧ形式、モーションＪＰＥＧ形式、ＭＰＥＧ形式等）に従って圧縮して、記録媒体制御部１１１に出力する。
また、画像を再生表示する場合には、画像データ処理部１０４は、記録媒体制御部１１１により記録媒体Ｍから読み出された表示対象に係る静止画像や動画像の画像データを対応する所定の符号化方式に従って復号して、表示制御部１０５ｂに出力する。このとき、画像データ処理部１０４は、読み出された画像データを、例えば、表示パネル１０５ａの表示解像度等に基づいて所定サイズ（例えば、ＶＧＡやＱＶＧＡサイズ）に縮小して表示制御部１０５ｂに出力しても良い。
【００２２】
表示部１０５は、表示パネル１０５ａと、表示制御部１０５ｂとを具備している。
表示パネル１０５ａは、表示領域内に画像を表示する。また、表示パネル１０５ａとしては、例えば、液晶表示パネルや有機ＥＬ表示パネルなどが挙げられるが、一例であってこれらに限られるものではない。
【００２３】
表示制御部１０５ｂは、記録媒体Ｍから読み出され画像データ処理部１０４により復号された所定サイズの画像データに基づいて、所定の画像を表示パネル１０５ａの表示画面に表示させる制御を行う。具体的には、表示制御部１０５ｂは、ＶＲＡＭ（Video Random Access Memory）、ＶＲＡＭコントローラ、デジタルビデオエンコーダなどを備えている。そして、デジタルビデオエンコーダは、画像データ処理部１０４により復号されてＶＲＡＭ（図示略）に記憶されている輝度信号Ｙ及び色差信号Ｃｂ，Ｃｒを、ＶＲＡＭコントローラを介してＶＲＡＭから所定の再生フレームレート（例えば、６０ｆｐｓ）で読み出して、これらのデータを元にビデオ信号を発生して表示パネル１０５ａに出力する。
【００２４】
操作入力部１０６は、当該撮像装置１の所定操作を行うためのものである。具体的には、操作入力部１０６は、例えば、装置本体の電源のＯＮ／ＯＦＦに係る電源ボタン、被写体の撮像指示に係るシャッタボタン、撮像モードや機能等の選択指示に係る選択決定ボタン、ズーム量の調整指示に係るズームボタン（何れも図示略）等の操作部を備えている。そして、操作入力部１０６は、ユーザによる操作部の各ボタンの所定操作に応じて所定の操作信号を中央制御部１０１に出力する。
【００２５】
無線処理部１０７は、他の撮像装置１の無線処理部１０７との間で無線通信を行う。
即ち、無線処理部１０７は、所定の通信回線を介して通信する通信手段を構成している。具体的には、無線処理部１０７は、例えば、外部のアクセスポイント（固定基地局）を経由せずに直接他の撮像装置１の無線処理部１０７との間で無線通信回線を構築するPeer to Peer（アドホックモード）で動作する。例えば、無線処理部１０７は、無線ＬＡＮモジュール等から構成され、無線通信可能範囲内に存する他の撮像装置１の無線処理部１０７との間で無線ＬＡＮ（Local Area Network）等の所定の無線通信回線を介して信号の送受信を行う。
このとき、無線処理部１０７は、例えば、当該無線通信回線の通信方式、暗号化情報、チャンネル、ＩＰアドレス等の各種情報を他の撮像装置１の無線処理部１０７に送信する。
【００２６】
また、無線処理部１０７は、第１送信制御部１０７ａと、第２送信制御部１０７ｂとを具備し、所定の無線通信回線を介して接続される他の撮像装置１の無線処理部１０７との間で情報の通信制御を行う。
【００２７】
即ち、連携撮像のマスタの撮像装置１Ａにあっては、第１送信制御部（第１送信制御手段）１０７ａは、テーマ用ファイルＦ（図３参照；後述）をスレーブとなる他の各撮像装置１Ｂに所定の無線通信回線を介して送信する。具体的には、第１送信制御部１０７ａは、テーマ取得部１０８ａにより取得された撮像テーマを示す名称、関連付け情報及びテーマ用フォルダＭｂのフォルダ名を含むテーマ用ファイルＦをスレーブの撮像装置１Ｂに送信する。つまり、第１送信制御部１０７ａは、テーマ取得部１０８ａによりユーザによる操作入力部１０６の所定操作に基づいて入力された撮像テーマを示す名称が取得された場合には、この撮像テーマを示す名称を所定の無線通信回線を介して他の撮像装置（例えば、スレーブとなる撮像装置１Ｂ等）に送信させるように構成されている。
一方、スレーブの各撮像装置１Ｂにあっては、無線処理部１０７は、マスタの撮像装置１Ａの無線処理部１０７から所定の無線通信回線を介して送信されたテーマ用ファイルＦを受信する。つまり、第１送信制御部１０７ａは、テーマ取得部１０８ａにより他の撮像装置（例えば、マスタの撮像装置１Ａ等）から送信され無線処理部１０７により受信された撮像テーマを示す名称が取得された場合には、この撮像テーマを示す名称を他の撮像装置に送信しないように構成されている。
【００２８】
また、連携撮像のマスタの撮像装置１Ａにあっては、第２送信制御部（第２送信制御手段）１０７ｂは、スレーブとなる他の各撮像装置１Ｂのテーマ用フォルダＭｂに格納されている画像ファイルの取得指示を所定の無線通信回線を介して当該各撮像装置１Ｂに送信する。具体的には、第２送信制御部１０７ｂは、スレーブの撮像装置１Ｂの撮像テーマを示す名称と関連付けられているテーマ用フォルダＭｂに格納されている画像ファイルの取得指示を当該撮像装置１Ｂに送信する。
一方、スレーブの各撮像装置１Ｂにあっては、無線処理部１０７は、マスタの撮像装置１Ａの無線処理部１０７から所定の無線通信回線を介して送信された画像ファイルの取得指示を受信する。そして、無線処理部１０７は、取得指示に基づいて、テーマ用フォルダＭｂに格納されている画像ファイルを取得して、当該画像ファイルをマスタの撮像装置１Ａに対して所定の無線通信回線を介して送信する。
【００２９】
なお、無線処理部１０７は、例えば、無線通信可能範囲内に存するアクセスポイントとの間で所定の無線通信回線を構築して、当該無線通信回線を介して他の撮像装置１の無線処理部１０７との間で信号の送受信を行うインフラストラクチャモードで動作しても良い。
また、無線処理部１０７は、例えば、記録媒体Ｍに内蔵された構成であっても良いし、当該装置本体に所定のインタフェース（例えば、ＵＳＢ（Universal Serial Bus）等）を介して接続された構成であっても良い。
また、無線通信回線は、無線ＬＡＮ（Local Area Network）に限られるものではなく、例えば、ＷＡＮ（Wide Area Network）等の様々な回線形態を適用しても良い。
【００３０】
テーマ処理部１０８は、テーマ取得部１０８ａと、第１判定部１０８ｂと、第２判定部１０８ｃと、画像取得部１０８ｄと、ファイル処理部１０８ｅとを具備している。
なお、テーマ処理部１０８の各部は、例えば、所定のロジック回路から構成されているが、当該構成は一例であってこれに限られるものではない。
【００３１】
テーマ取得部１０８ａは、他の撮像装置１と共通の撮像テーマを示す名称を取得する。
即ち、テーマ取得部１０８ａは、第１取得手段として、ユーザによる操作入力部１０６の所定操作に基づいて、或いは、当該装置本体の外部から入力された撮像テーマを示す名称を取得する。
具体的には、連携撮像のマスタの撮像装置１Ａにあっては、テーマ取得部１０８ａは、ユーザによる操作入力部１０６の操作部（例えば、選択決定用ボタン等）の所定操作に基づいて入力された他の撮像装置１と共通の撮像テーマを示す名称（例えば、「うさぎ組の運動会」等）を取得する。ここで、撮像テーマを示す名称は、如何なる文字から構成されていても良く、例えば、テーマ用フォルダＭｂのフォルダ名と異なり、当該フォルダ名を構成する所定の規格に準拠した所定の文字以外の文字を含んで構成されていても良い。
また、テーマ取得部１０８ａは、ユーザによる操作入力部１０６の操作部（例えば、選択決定用ボタン等）の所定操作に基づいて入力された撮像テーマに関連する撮像条件（例えば、撮像位置、撮像日時等）を関連付け情報として取得する。つまり、入力された撮像テーマに対して関連付けるべき撮影画像がどのようなものであるかを指定するための情報が関連付け情報である。また、関連付け情報としては、主として、各撮影画像を撮像したときの撮像条件が用いられるが、例えば、画像解析により検出された被写体情報など、撮影後に撮影画像に付加される属性情報に基づく属性条件を含むようにしてもよい。そして、テーマ取得部１０８ａは、取得された撮像テーマを示す名称と、当該名称と関連付けられたテーマ用フォルダＭｂのフォルダ名（例えば、「100CCOMM」等）と、関連付け情報（特に、撮像条件及び属性条件のうちの少なくとも一方を示す情報等）とを対応付けてテーマ用ファイルＦ（図３（ａ）参照）を生成する。なお、撮像テーマを示す名称と関連付けられたフォルダ名についても、撮像テーマを示す名称とフォルダ内の撮影画像とを関連付けるための情報であり、ここでいう関連付け情報の１つである。
【００３２】
一方、スレーブとなる撮像装置１Ｂにあっては、テーマ取得部１０８ａは、マスタの撮像装置１Ａから送信され無線処理部１０７により受信されたテーマ用ファイルＦを取得し、このテーマ用ファイルＦに含まれる撮像テーマを示す名称を取得する。
【００３３】
第１判定部１０８ｂは、ファイル記録部１０９にテーマ用ファイルＦが記録されているか否かを判定する。
即ち、第１判定部１０８ｂは、第１判定手段として、ファイル記録部１０９に撮像テーマを示す名称を含むテーマ用ファイルＦが記録されているか否かを判定する。
具体的には、マスタの撮像装置１Ａにあっては、第１判定部１０８ｂは、テーマ取得部１０８ａにより生成されたテーマ用ファイルＦがファイル記録部１０９に記録されているか否かを判定する。一方、スレーブとなる撮像装置１Ｂにあっては、第１判定部１０８ｂは、マスタの撮像装置１Ａのテーマ取得部１０８ａにより生成され、所定の無線通信回線を介して送信されて無線処理部１０７により受信されたテーマ用ファイルＦがファイル記録部１０９に記録されているか否かを判定する。
【００３４】
第２判定部１０８ｃは、テーマ用フォルダＭｂが生成されているか否かを判定する。
即ち、第２判定部１０８ｃは、第２判定手段として、記録媒体制御部１１１のフォルダ生成部１１１ａにより他の撮像装置１と共通の撮像テーマを示す名称が関連付けられたテーマ用フォルダＭｂが生成されているか否かを判定する。
【００３５】
画像取得部１０８ｄは、テーマ用フォルダＭｂに格納されている画像を取得する。
即ち、画像取得部１０８ｄは、第２取得手段として、撮像テーマを示す名称と関連付けられている他の撮像装置１のテーマ用フォルダＭｂから読み出されて送信され、無線処理部１０７により受信された画像ファイルを取得する。具体的には、マスタの撮像装置１Ａにあっては、画像ファイルの取得指示に基づいてスレーブの各撮像装置１Ｂの無線処理部１０７から所定の無線通信回線を介して送信された、マスタの撮像装置１Ａ本体のテーマ用フォルダＭｂと関連付けられている撮像テーマを示す名称と共通の撮像テーマを示す名称と関連付けられている画像ファイルを取得する。
【００３６】
ファイル処理部１０８ｅは、共通の撮像テーマと関連付けられた各画像ファイルに対して同一の所定の処理を行う。
即ち、マスタの撮像装置１Ａにあっては、ファイル処理部１０８ｅは、処理手段として、当該装置本体のテーマ用フォルダＭｂに格納されている画像ファイル及び画像取得部１０８ｄにより取得された画像ファイルを収集して、記録媒体Ｍの所定の一のフォルダに格納させる一括収集処理を行う。具体的には、例えば、一括収集処理等の所定の処理を実行する際に、ユーザによる操作入力部１０６の所定操作に基づいて何れかの撮像テーマを示す名称が指定されると、ファイル処理部１０８ｅは、指定された撮像テーマを示す名称とテーマ用ファイルの関連付け情報により関連付けられたテーマ用フォルダＭｂの名称を取得する。そして、ファイル処理部１０８ｅは、取得した名称が示すテーマ用フォルダＭｂに格納された画像を所定の処理の処理対象とする。
【００３７】
なお、一括収集用のフォルダは、例えば、テーマ用フォルダＭｂであっても良いし、これとは異なる他のフォルダであっても良い。
また、ファイル処理部１０８ｅによる共通の撮像テーマと関連付けられた各画像に対する処理として、一括収集処理を例示したが、一例であってこれに限られるものではなく、例えば、アルバム生成処理など適宜任意に変更可能である。
【００３８】
ファイル記録部１０９は、テーマ用ファイルＦを記録する。
即ち、ファイル記録部１０９は、記録手段として、テーマ取得部１０８ａにより取得された撮像テーマを示す名称を格納したテーマ用ファイルＦを記録する。具体的には、ファイル記録部１０９は、テーマ用ファイルＦの記録を制御する記録制御部（第２記録制御手段）１０９ａを具備し、記録制御部１０９ａは、テーマ用フォルダＭｂに付加された名称（例えば、「100CCOMM」等）と、撮像テーマを示す名称（例えば、「うさぎ組の運動会」等）と、撮像条件及び属性条件のうちの少なくとも一方を示す情報（関連付け情報）とが対応付けられたテーマ用ファイルＦを記録させる。
例えば、マスタの撮像装置１Ａにあっては、記録制御部１０９ａは、テーマ取得部１０８ａにより生成されたテーマ用ファイルＦを取得して所定の記録領域に記録する。一方、スレーブとなる撮像装置１Ｂにあっては、記録制御部１０９ａは、マスタである他の撮像装置１Ａから送信され無線処理部１０７により受信されたテーマ用ファイルＦを取得して所定の記録領域に記録する。
なお、ファイル記録部１０９は、例えば、不揮発性メモリ（フラッシュメモリ）等から構成されている。
【００３９】
テーマ用ファイルＦは、例えば、図３（ａ）に示すように、他の撮像装置１と共通の撮像テーマを示す名称（例えば、「うさぎ組の運動会」等）と、撮像テーマを示す名称と複数の撮影画像とを関連付けるための関連付け情報としての撮像位置（例えば、「運動会の会場周辺の座標情報」等）及び撮像日時（例えば、「２０１２年＊月＊＊日」等）等の撮像条件と、撮像テーマに関連する画像ファイルが格納されるテーマ用フォルダＭｂのフォルダ名（例えば、「100CCOMM」等）とが対応付けられている。
なお、図３（ｂ）に示すように、テーマ用ファイルＦは、撮像条件（撮像位置及び撮像日時）が設定されていないものであっても良い。この場合には、撮像条件に拘わりなく全ての画像ファイルがテーマ用フォルダＭｂに格納されることとなる。
このように、テーマ用ファイルＦは、テーマ用フォルダＭｂに付加される名称と、撮像テーマを示す名称とを関連付ける関連付け情報を含む。
【００４０】
撮像関連情報取得部１１０は、撮像処理に関連する各種の情報のうち、テーマ用ファイルＦに関連付け情報として設定されている撮像条件に係る情報を取得する。
即ち、撮像関連情報取得部１１０は、例えば、画像の撮像の際に当該装置本体の存する撮像位置に係る撮像位置情報、撮像の日付及び時刻に係る撮像日時情報等を取得する。具体的には、撮像関連情報取得部１１０は、例えば、画像の撮像の際に、ＧＰＳ処理部（図示略）によるＧＰＳ測位や自律航法処理部（図示略）による自律航法測位の結果に基づいて、当該装置本体の存する撮像位置に係る緯度、経度、高度等を特定して撮像位置情報を取得する。また、撮像関連情報取得部１１０は、例えば、画像の撮像の際に、図示しない計時部により計時された時刻に基づいて、日付情報（例えば、年月日など）や時刻情報（例えば、現在時刻など）を特定して撮像日時情報を取得する。
【００４１】
記録媒体制御部１１１は、例えば、不揮発性メモリ（フラッシュメモリ）等の記録媒体Ｍが着脱自在に構成され、装着された記録媒体Ｍからのデータの読み出しや記録媒体Ｍに対するデータの書き込みを制御する。
具体的には、記録媒体制御部１１１は、フォルダ生成部１１１ａと、記録制御部１１１ｂとを具備している。
【００４２】
フォルダ生成部１１１ａは、撮像テーマを示す名称と関連付けられたテーマ用フォルダＭｂを記録媒体Ｍに生成する。
即ち、フォルダ生成部１１１ａは、生成手段として、テーマ取得部１０８ａによる撮像テーマを示す名称の取得に基づいて、この撮像テーマを示す名称と関連付け情報により関連付けられ、且つ、当該名称と異なる名称が付加されたテーマ用フォルダＭｂを生成する。具体的には、テーマ処理部１０８の第１判定部１０８ｂにより撮像テーマを示す名称が記録されていると判定され、且つ、第２判定部１０８ｃによりテーマ用フォルダＭｂが生成されていないと判定された場合に、フォルダ生成部１１１ａは、テーマ用フォルダＭｂを新たに生成する。
このとき、フォルダ生成部１１１ａは、テーマ用ファイルＦに含まれるテーマ用フォルダＭｂのフォルダ名（例えば、「100CCOMM」等）に従って、その名称のテーマ用フォルダＭｂを生成する。なお、テーマ用ファイルＦにテーマ用フォルダＭｂのフォルダ名が含まれていない場合には、フォルダ生成部１１１ａは、後述するように、例えば、ＤＣＦ規格に準拠したフォーマットに従って所定のフォルダ名のテーマ用フォルダＭｂを生成しても良い。
【００４３】
具体的には、フォルダ生成部１１１ａは、所定の規格（例えば、ＤＣＦ（Design rule for Camera File system）等）に準拠したフォーマットで、画像ファイルが格納されるフォルダを生成する。例えば、ＤＣＦ規格の場合、記録媒体制御部１１１は、記録媒体Ｍ内のルートディレクトリの直下のディレクトリ名「ＤＣＩＭ」のディレクトリ（ＤＣＦイメージディレクトリ）の中に、画像データのファイル（ＤＣＦファイル）を格納するためのＤＣＦディレクトリ（フォルダ）を生成する（図４等参照）。
【００４４】
ＤＣＦディレクトリは、画像が撮像される毎に生成された当該画像のＤＣＦファイルが格納される通常のフォルダＭａ（例えば、フォルダ名が「100CASIO」等のフォルダ）と、撮像された画像のうち、撮像テーマに関連する画像の複製画像のＤＣＦファイルが格納されるテーマ用フォルダＭｂ（例えば、フォルダ名が「100CCOMM」等のフォルダ）とを含んで構成されている（図４参照）。
通常のフォルダＭａには、例えば、ファイル名が「CIMG0001.JPG」や「CIMG0002.JPG」等のＤＣＦファイルが格納される。また、テーマ用フォルダＭｂには、例えば、通常のフォルダＭａに格納される画像ファイルのうち、撮像テーマに関連する画像に対応するファイル名が「CIMG0001.JPG」や「CIMG0003.JPG」等のＤＣＦファイルが格納される。
なお、ＤＣＦファイルは、例えば、拡張子を「ＪＰＧ」とするＥｘｉｆ規格に準拠した画像ファイルを含む。また、ＤＣＦディレクトリ名（フォルダ名）やＤＣＦファイル名（ファイル名）は、詳細な説明は省略するが、ＤＣＦ規格に準拠したフォーマットに従って生成される。
【００４５】
記録制御部１１１ｂは、画像データ処理部１０４の符号化部（図示略）により所定の圧縮形式（例えば、ＪＰＥＧ形式、モーションＪＰＥＧ形式、ＭＰＥＧ形式等）で符号化された記録用の画像データを記録媒体Ｍの所定の記録領域に記録させる。即ち、記録制御部１１１ｂは、所定の規格（例えば、ＤＣＦ等）に準拠したフォーマットで画像データをファイル化して、記録媒体Ｍの所定のフォルダに記録させる。
具体的には、記録制御部１１１ｂは、第１記録制御手段として、フォルダ生成部１１１ａにより生成されたテーマ用フォルダＭｂに、撮像部１０３により撮像され画像データ処理部１０４により生成された画像データのファイルを格納する。このとき、記録制御部１１１ｂは、テーマ用ファイルＦの関連付け情報（例えば、撮像位置や撮像日時等）を参照して、当該テーマ用ファイルＦに含まれる撮像テーマに関連する撮像条件や属性条件を満たす画像データについて、その複製を生成した後、当該複製画像をファイル化してテーマ用フォルダＭｂに格納する。つまり、記録制御部１１１ｂは、撮像部１０３により撮像された画像のうち、テーマ用ファイルＦの関連付け情報に係る撮影条件及び属性条件のうちの少なくとも一方により指定される画像を、当該関連付け情報に係る名称が示すテーマ用フォルダＭｂに格納させる。
この結果、撮像テーマに関連する撮像条件を満たす画像データ（例えば、ファイル名が「CIMG0001.JPG」や「CIMG0003.JPG」等の画像ファイル）については、記録制御部１１１ｂは、通常のフォルダＭａとテーマ用フォルダＭｂの両方に記録させる。
【００４６】
次に、本実施形態の撮像システム１００を構成する各撮像装置１の動作について、図５〜図７を参照して説明する。
【００４７】
＜撮像準備処理＞
先ず、撮像準備処理について図５及び図７（ａ）を参照して説明する。
図５は、撮像準備処理に係る動作の一例を示すフローチャートである。また、図７（ａ）は、各撮像装置１の撮像準備処理の動作を模式的に示す図である。
撮像準備処理は、連携撮像前に、複数の撮像装置１、…の各々で逐次実行される処理である。
【００４８】
図５に示すように、複数の撮像装置１、…の各々の中央制御部１０１のＣＰＵは、ユーザによる操作入力部１０６の所定操作に基づいて連携撮像の実行指示が入力されているか否かを判定する（ステップＳ１）。
ここで、複数の撮像装置１、…のうち、中央制御部１０１のＣＰＵによって連携撮像の実行指示が入力されている（ステップＳ１；ＹＥＳ）と判定された撮像装置１が連携撮像のマスタとなり、中央制御部１０１のＣＰＵによって連携撮像の実行指示が入力されていない（ステップＳ１；ＮＯ）と判定された撮像装置１が連携撮像のスレーブとなる。
【００４９】
ステップＳ１にて、連携撮像の実行指示が入力されている（ステップＳ１；ＹＥＳ）と判定された撮像装置１（例えば、マスタの撮像装置１Ａ）にあっては、テーマ取得部１０８ａは、例えば、ユーザによる操作入力部１０６の選択決定用ボタン等の所定操作に基づいて入力された他の撮像装置１と共通の撮像テーマを示す任意の名称（例えば、「うさぎ組の運動会」等）を取得する（ステップＳ２）。
一方、ステップＳ１にて、連携撮像の実行指示が入力されていない（ステップＳ１；ＮＯ）と判定された撮像装置１（例えば、スレーブとなる撮像装置１Ｂ）にあっては、中央制御部１０１のＣＰＵは、ステップＳ２〜Ｓ７（後述）の処理をスキップして、処理をステップＳ８に移行させる。
【００５０】
ステップＳ２による撮像テーマを示す名称の取得後、マスタの撮像装置１Ａにあっては、テーマ取得部１０８ａは、例えば、ユーザによる操作入力部１０６の選択決定用ボタン等の所定操作に基づいて入力された任意の撮像条件（例えば、撮像位置、撮像日時等）を関連付け情報として取得する（ステップＳ３）。
続けて、テーマ取得部１０８ａは、取得された撮像テーマを示す名称及び関連付け情報、当該名称と関連付けられたテーマ用フォルダＭｂのフォルダ名（例えば、「100CCOMM」等）を対応付けたテーマ用ファイルＦ（図３（ａ）参照）を生成する（ステップＳ４）。そして、ファイル記録部１０９の記録制御部１０９ａは、テーマ取得部１０８ａにより生成されたテーマ用ファイルＦを取得して記録する（ステップＳ５）。
なお、テーマ用フォルダＭｂのフォルダ名は、ユーザによる操作入力部１０６の所定操作に基づいて入力されても良いし、自動的に生成されても良い。
【００５１】
その後、マスタの撮像装置１Ａにあっては、中央制御部１０１のＣＰＵは、無線処理部１０７により無線通信可能範囲内に存する連携撮像可能な周辺の他の撮像装置１を探索する（ステップＳ６）。例えば、中央制御部１０１のＣＰＵは、無線処理部１０７によりアドホックモードにて通信可能な他の撮像装置１の無線処理部１０７を探索する。
そして、無線処理部１０７の第１送信制御部１０７ａは、スレーブとなる他の各撮像装置１Ｂに対して、ファイル生成部１０９ｃにより生成されたテーマ用ファイルＦを連携撮像の要求指示と対応付けて所定の無線通信回線を介して送信する（ステップＳ７）。
【００５２】
続けて、各撮像装置１にあっては、中央制御部１０１のＣＰＵは、無線処理部１０７を介して他の撮像装置１（マスタの撮像装置１Ａ）から連携撮像の要求指示が入力されたか否かを判定する（ステップＳ８）。
ここで、スレーブとなる撮像装置１Ｂにあっては、中央制御部１０１のＣＰＵは、連携撮像の要求指示が入力されたと判定し（ステップＳ８；ＹＥＳ）、当該撮像装置１Ｂのファイル記録部１０９は、無線処理部１０７により受信された連携撮像の要求指示と対応付けられているテーマ用ファイルＦを取得して記録し（ステップＳ９）、当該撮像準備処理を終了する。
一方、ステップＳ８にて、マスタの撮像装置１Ａにあっては、中央制御部１０１のＣＰＵは、連携撮像の要求指示が入力されていないと判定し（ステップＳ８；ＮＯ）、ステップＳ９の処理をスキップして、当該撮像準備処理を終了する。
【００５３】
＜撮像処理＞
次に、撮像処理について図６を参照して説明する。
図６は、撮像処理に係る動作の一例を示すフローチャートである。
撮像処理は、撮像装置１が連携撮像のマスタであるかスレーブであるかに拘わりなく行われる処理である。
【００５４】
図６に示すように、先ず、テーマ処理部１０８の第１判定部１０８ｂは、ファイル記録部１０９に撮像テーマを示す名称を含むテーマ用ファイルＦが記録されているか否かを判定する（ステップＳ２１）。
ステップＳ２１にて、テーマ用ファイルＦが記録されていると判定されると（ステップＳ２１；ＹＥＳ）、第２判定部１０８ｃは、フォルダ生成部１１１ａにより撮像テーマを示す名称が関連付けられたテーマ用フォルダＭｂが生成されているか否かを判定する（ステップＳ２２）。
【００５５】
ステップＳ２２にて、テーマ用フォルダＭｂが生成されていないと判定されると（ステップＳ２２；ＮＯ）、フォルダ生成部１１１ａは、テーマ用ファイルＦを参照して、テーマ用フォルダＭｂのフォルダ名（例えば、「100CCOMM」等）を決定して（ステップＳ２３）、記録媒体Ｍに当該フォルダ名のテーマ用フォルダＭｂを新たに生成する（ステップＳ２４）。
【００５６】
次に、中央制御部１０１のＣＰＵは、ユーザによる操作入力部１０６のシャッタボタンの所定操作に基づいて出力された撮像指示が入力されたか否かを判定する（ステップＳ２５）。また、ステップＳ２１にて、テーマ用フォルダＭｂが生成されていると判定された場合に（ステップＳ２１；ＹＥＳ）、中央制御部１０１のＣＰＵは、ステップＳ２３及びＳ２４の各処理をスキップして、処理をステップＳ２５に移行させ、上記と同様に、撮像指示が入力されたか否かを判定する（ステップＳ２５）。
ステップＳ２５における撮像指示が入力されたか否かの判定は、当該撮像指示が入力されたと判定されるまで（ステップＳ２５；ＹＥＳ）、所定の時間間隔で繰り返し実行される。
【００５７】
ステップＳ２５にて、撮像指示が入力されたと判定されると（ステップＳ２５；ＹＥＳ）、撮像部１０３が被写体の撮像を行うとともに、撮像関連情報取得部１１０が関連付け情報としての各種の撮像条件に係る情報を取得する（ステップＳ２６）。
具体的には、撮像制御部１０３ｃは、レンズ部１０３ａにより結像された光学像を電子撮像部１０３ｂにより二次元の画像信号に変換させたフレーム画像を画像データ処理部１０４に出力させる。画像データ処理部１０４は、電子撮像部１０３ｂから転送されたフレーム画像のアナログ値の信号からデジタル値の輝度信号Ｙ及び色差信号Ｃｂ，Ｃｒ（ＹＵＶデータ）を生成する。そして、画像データ処理部１０４は、被写体のＹＵＶデータを所定の符号化方式（例えば、ＪＰＥＧ形式等）に従って圧縮して、記録媒体制御部１１１に出力する。
また、撮像関連情報取得部１１０は、当該装置本体の存する撮像位置に係る撮像位置情報、撮像の日付及び時刻に係る撮像日時情報等の撮像条件を関連付け情報として取得する。
【００５８】
続けて、記録制御部１１１ｂは、テーマ用ファイルＦに対応付けられている関連付け情報としての撮像条件（例えば、「撮像位置：運動会の会場周辺の座標情報」、「撮像日時：２０１２年＊月＊＊日」等）を取得した後（ステップＳ２７）、撮像関連情報取得部１１０により取得された撮像条件がテーマ用ファイルＦに規定されている撮像条件を満たすか否かを判定する（ステップＳ２８）。即ち、記録制御部１１１ｂは、被写体の撮像の際に撮像関連情報取得部１１０により取得された撮像位置が、テーマ用ファイルＦに規定されている撮像位置に係る領域内に存するか否かを判定したり、被写体の撮像の際に撮像関連情報取得部１１０により取得された撮像日時が、テーマ用ファイルＦに規定されている撮像日時に係る範囲内に存するか否かを判定する。
【００５９】
ステップＳ２８にて、撮像関連情報取得部１１０により取得された撮像条件がテーマ用ファイルＦに規定されている撮像条件を満たすと判定されると（ステップＳ２８；ＹＥＳ）、記録制御部１１１ｂは、画像データ処理部１０４により生成された画像データの複製を生成した後、所定の規格（例えば、ＤＣＦ等）に準拠したフォーマットでファイル化してテーマ用フォルダＭｂに保存する（ステップＳ２９）。なお、記録制御部１１１ｂは、画像データ処理部１０４により生成された画像データをファイル化して通常のフォルダＭａにも保存するようにしても良い。
一方、撮像関連情報取得部１１０により取得された撮像条件がテーマ用ファイルＦに規定されている撮像条件を満たさないと判定されると（ステップＳ２８；ＮＯ）、記録制御部１１１ｂは、画像データ処理部１０４により生成された画像データを所定の規格に準拠したフォーマットでファイル化して通常のフォルダＭａに保存する（ステップＳ３０）。
これにより、撮像処理を終了する。
【００６０】
一方、ステップＳ２１にて、テーマ用ファイルＦが記録されていないと判定されると（ステップＳ２１；ＮＯ）、中央制御部１０１のＣＰＵは、ユーザによる操作入力部１０６のシャッタボタンの所定操作に基づいて通常の撮像処理を行って（ステップＳ３１）、当該撮像処理を終了する。
【００６１】
そして、複数の撮像装置１、…で個別に撮像されてテーマ用フォルダＭｂに記録された複数の画像ファイルは、例えば、マスタの撮像装置１Ａに収集され、一括して管理または電子アルバム生成などの所定の処理が施されることになる。
即ち、撮像処理後に、マスタの撮像装置１Ａにあっては、無線処理部１０７の第２送信制御部１０７ｂは、スレーブとなる各撮像装置１Ｂのテーマ用フォルダＭｂに格納されている画像ファイルの取得指示を所定の無線通信回線を介して当該各撮像装置１Ｂに送信する。スレーブの各撮像装置１Ｂにあっては、無線処理部１０７は、マスタの撮像装置１Ａの無線処理部１０７から送信された画像ファイルの取得指示を受信すると、当該取得指示に基づいて、テーマ用フォルダＭｂに格納されている画像ファイルを取得して、当該画像ファイルをマスタの撮像装置１Ａに対して送信する（図７（ｂ）参照）。
そして、マスタの撮像装置１Ａにあっては、画像取得部１０８ｄは、スレーブの各撮像装置１Ｂの無線処理部１０７から送信された画像ファイルを取得し、ファイル処理部１０８ｅは、当該装置本体のテーマ用フォルダＭｂに格納されている画像ファイル及び画像取得部１０８ｄにより取得された画像ファイルを収集して、記録媒体Ｍの所定の一のフォルダに格納させる一括収集処理を行う。
【００６２】
なお、テーマ用ファイルＦが１つだけであれば特に一括収集処理の対象となるテーマを指定しなくともよいが、過去に撮影を行ったテーマ用ファイルＦが複数ある場合には、マスタの撮像装置１Ａが、今回の一括収集処理の対象となるテーマを示す名称をユーザに指定させるようにしてもよい。
この場合、マスタの撮像装置１Ａは、ユーザが指定したテーマの名称とともに画像ファイルの取得指示をスレーブの撮像装置１Ｂに送信し、そして、テーマの名称とともに画像ファイルの取得指示を受信したスレーブの撮像装置１Ｂは、複数のテーマ用ファイルＦの中から、受信したテーマの名称に対応したテーマ用ファイルＦが示すテーマ用フォルダＭｂに格納されている画像ファイルを取得してマスタの撮像装置１Ａに送信する。これにより、指定された撮像テーマを示す名称と関連付け情報により関連付けられた名称が示す各テーマ用フォルダＭｂに格納された複数の画像を所定の処理の処理対象として、当該画像のファイル管理を行うことができる。
【００６３】
以上のように、本実施形態の撮像システム１００によれば、他の撮像装置１と共通の撮像テーマを示す名称の取得に基づいて、この撮像テーマを示す名称と関連付け情報により関連付けられ、且つ、当該名称と異なる名称が付加されたテーマ用フォルダＭｂを生成し、生成されたテーマ用フォルダＭｂに撮像部１０３により撮像された画像を格納するので、撮像テーマに対応する画像を通常の画像とは別個にテーマ用フォルダＭｂに記録しておくことができる。具体的には、撮像された画像のうち、関連付け情報に係る撮影条件や属性条件により指定される画像を、関連付け情報と対応付けられている名称が示すテーマ用フォルダＭｂに記録することができる。
従って、テーマ用フォルダＭｂを利用することで、例えば、撮像場所や時間を共通とする撮像テーマで複数の撮像装置１、…を用いて撮像した際の撮像後における画像のファイル管理を簡便に行うことができる。
【００６４】
また、撮像テーマを示す名称がファイル記録部１０９に記録されていると判定され、且つ、テーマ用フォルダＭｂがフォルダ生成部１１１ａにより生成されていないと判定された場合に、撮像テーマを示す名称と関連付けられたテーマ用フォルダＭｂを新たに生成するので、テーマ用フォルダＭｂが生成されないことを防止することができるとともに、撮像テーマを共通とする複数のテーマ用フォルダＭｂが生成されてしまうことを防止することができる。
また、ファイル記録部１０９に、テーマ用フォルダＭｂに付加される名称と、撮像テーマを示す名称とを関連付ける関連付け情報を格納するテーマ用ファイルＦを記録するので、当該テーマ用ファイルＦを用いることで撮像テーマに対応する画像の管理をより適正に行うことができる。即ち、複数の撮像テーマがある場合であっても、各撮像テーマに応じてテーマ用ファイルＦをそれぞれ記録しておくことで、各撮像テーマ毎に、対応するテーマ用ファイルＦに係る関連付け情報を用いてテーマ用フォルダＭｂに画像を記録していくことができる。
【００６５】
また、当該装置本体のテーマ用フォルダＭｂと関連付けられている撮像テーマを示す名称と共通の撮像テーマを示す名称と関連付けられている他の撮像装置１のテーマ用フォルダＭｂから取得された画像ファイル及び当該装置本体のテーマ用フォルダＭｂに格納されている画像ファイルに対して、同一の所定の処理を行うファイル処理部１０８ｅを備えているので、マスタとなる撮像装置１Ａにて、共通の撮像テーマで複数の撮像装置１を用いて撮像された画像のファイル管理を簡便に行うことができる。
具体的には、マスタの撮像装置１Ａにあっては、無線処理部１０７が、ユーザによる操作入力部１０６の所定操作に基づいて設定された撮像テーマを示す名称をスレーブとなる撮像装置１Ｂに送信するとともに、スレーブの撮像装置１Ｂの撮像テーマを示す名称と関連付けられているテーマ用フォルダＭｂに格納されている画像ファイルの取得指示をスレーブの撮像装置１Ｂに送信することで、画像取得部１０８ｄは、画像の取得指示に基づいてスレーブの撮像装置１Ｂのテーマ用フォルダＭｂから読み出されて送信され、無線処理部１０７により受信された撮像テーマを示す名称と関連付けられている画像ファイルを自動的に取得することができる。これにより、マスタの撮像装置１Ａにあっては、ファイル処理部１０８ｅが、共通の撮像テーマで複数の撮像装置１、…を用いて撮像された画像に対して同一の所定の処理を行うことができる。
【００６６】
また、撮像テーマを示す名称は、テーマ用フォルダＭｂに付加される名称を構成する所定の規格に準拠した所定の文字以外の文字を含むので、所定の規格の制約を受けることなく撮像テーマを示す名称を設定することができる。即ち、テーマ用フォルダＭｂに付加される名称のように所定の規格に準拠した所定の文字（例えば、英数字等）を使うことなく、ユーザにとってよりわかり易い文字（例えば、母国語を構成する文字等）を用いて撮像テーマを示す名称を設定することができる。
【００６７】
なお、本発明は、上記実施形態に限定されることなく、本発明の趣旨を逸脱しない範囲において、種々の改良並びに設計の変更を行っても良い。例えば、所定の通信回線として、無線通信回線を例示して説明したが、撮像装置１どうしを通信ケーブル等により接続して通信を行う有線通信回線であっても良い。
【００６８】
また、上記実施形態にあっては、ファイル記録部１０９の記録制御部１０９ａは、テーマ取得部１０８ａにより生成されたテーマ用ファイルＦ、即ち、テーマ用フォルダＭｂに付加された名称と、撮像テーマを示す名称とが対応付けられたファイルを記録するようにしたが、例えば、予め撮像テーマを示す名称を格納したファイルをファイル記録部１０９に記録しておき、フォルダ生成部１１１ａによりテーマ用フォルダＭｂが生成された場合に、当該テーマ用フォルダＭｂに付加された名称を追加して格納させるようにしても良い。
【００６９】
また、上記実施形態にあっては、記録制御部１１１ｂは、撮像された所定数の画像のうち、ユーザによる操作入力部１０６の所定操作に基づいて任意に選択された画像データの複製をテーマ用フォルダＭｂに移動させて格納するようにしても良い。
【００７０】
さらに、上記実施形態にあっては、スレーブとなる各撮像装置１Ｂは、連携撮像のマスタの撮像装置１Ａから送信されたテーマ用ファイルＦを受信して撮像テーマを示す名称を取得するようにしたが、一例であってこれに限られるものではなく、例えば、メモリーカードや有線ケーブルを介してテーマ用ファイルＦを取得するようにしても良い。
また、各撮像装置１は、テーマ用ファイルＦに基づいてテーマ用フォルダＭｂを自動的に生成するようにしたが、一例であってこれに限られるものではなく、ユーザによる操作入力部１０６の所定操作に基づいて手動で生成するようにしても良い。
また、マスタの撮像装置１Ａは、スレーブの撮像装置１Ｂにテーマ用フォルダＭｂに格納されている画像の取得指示を送信し、スレーブの撮像装置１Ｂは、受信された画像の取得指示に基づいてテーマ用フォルダＭｂから画像ファイルを読み出して自動的にマスタの撮像装置１Ａに送信するようにしたが、一例であってこれに限られるものではなく、例えば、スレーブの撮像装置１Ｂは、ユーザによる操作入力部１０６の所定操作に基づいて手動で選択された画像ファイルをマスタの撮像装置１Ａに送信するようにしても良い。
【００７１】
また、上記実施形態では、撮像後にマスタの撮像装置１Ａが、撮像テーマに対応する画像を収集して一括して管理するような構成を例示したが、一例であってこれに限られるものではなく、例えば、メモリーカードや有線ケーブルを介して各撮像装置１からパーソナルコンピュータなどに移動またはコピーされ、当該コンピュータで一括して管理または電子アルバム生成などの所定の処理を施すようにしても良い。
【００７２】
また、撮像装置１の構成は、上記実施形態に例示したものは一例であり、これに限られるものではない。
【００７３】
加えて、上記実施形態にあっては、第１取得手段、生成手段、第１記録制御手段としての機能を、中央制御部１０１の制御下にて、テーマ取得部１０８ａ、フォルダ生成部１１１ａ、記録制御部１１１ｂが駆動することにより実現される構成としたが、これに限られるものではなく、中央制御部１０１のＣＰＵによって所定のプログラム等が実行されることにより実現される構成としても良い。
即ち、プログラムを記憶するプログラムメモリ（図示略）に、第１取得処理ルーチン、生成処理ルーチン、記録制御処理ルーチンを含むプログラムを記憶しておく。そして、第１取得処理ルーチンにより中央制御部１０１のＣＰＵを、ユーザによる操作部の所定操作に基づいて、或いは、当該装置本体の外部から入力された撮像テーマを示す名称を取得する第１取得手段として機能させるようにしても良い。また、生成処理ルーチンにより中央制御部１０１のＣＰＵを、この撮像テーマを示す名称と関連付け情報により関連付けられ、且つ、当該名称と異なる名称が付加されたテーマ用フォルダＭｂを生成する生成手段として機能させるようにしても良い。また、記録制御処理ルーチンにより中央制御部１０１のＣＰＵを、生成手段により生成されたテーマ用フォルダＭｂに、撮像手段により撮像された画像を格納する第１記録制御手段として機能させるようにしても良い。
【００７４】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮像テーマを他の撮像装置と共通とする撮像を行う撮像装置であって、
ユーザによる操作部の所定操作に基づいて、或いは、当該装置本体の外部から入力された前記撮像テーマを示す名称を取得する第１取得手段と、
前記第１取得手段による前記撮像テーマを示す名称の取得に基づいて、この撮像テーマを示す名称と関連付け情報により関連付けられ、且つ、当該名称と異なる名称が付加されたテーマ用フォルダを生成する生成手段と、
前記生成手段により生成されたテーマ用フォルダに、撮像手段により撮像された画像を格納する第１記録制御手段と、
を備えることを特徴とする撮像装置。
＜請求項２＞
所定の処理を実行する際に、指定された撮像テーマを示す名称と前記関連付け情報により関連付けられたテーマ用フォルダの名称を取得し、この取得した名称が示すテーマ用フォルダに格納された画像を前記所定の処理の処理対象とすることを特徴とする請求項１に記載の撮像装置。
＜請求項３＞
前記第１取得手段により取得された前記撮像テーマを示す名称を記録する記録手段と、
前記記録手段に前記撮像テーマを示す名称が記録されているか否かを判定する第１判定手段と、
前記生成手段によりテーマ用フォルダが生成されているか否かを判定する第２判定手段と、を更に備え、
前記生成手段は、前記第１判定手段により前記撮像テーマを示す名称が記録されていると判定され、且つ、前記第２判定手段により前記テーマ用フォルダが生成されていないと判定された場合に、前記撮像テーマを示す名称と関連付けられたテーマ用フォルダを新たに生成することを特徴とする請求項１または２に記載の撮像装置。
＜請求項４＞
前記記録手段は、前記撮像テーマを示す名称を格納したファイルを記録し、
前記生成手段により前記テーマ用フォルダが生成された場合に、前記ファイル内に既に格納されている前記撮像テーマを示す名称に加えて、前記テーマ用フォルダに付加された名称を追加して格納する第２記録制御手段を更に備えることを特徴とする請求項３に記載の撮像装置。
＜請求項５＞
前記第１取得手段は、前記撮像テーマに関連付けるべき撮影画像を指定するための撮像条件及び属性条件のうちの少なくとも一方を前記関連付け情報として更に取得し、
前記第２記録制御手段は、前記テーマ用フォルダに付加された名称と、前記撮像テーマを示す名称と、前記撮像条件及び属性条件のうちの少なくとも一方を示す情報とを対応付けて前記ファイルに記録し、
前記第１記録制御手段は、前記撮像手段により撮像された画像のうち、前記関連付け情報に係る撮影条件及び属性条件のうちの少なくとも一方により指定される画像を、前記関連付け情報に係る名称が示すテーマ用フォルダに格納することを特徴とする請求項４に記載の撮像装置。
＜請求項６＞
所定の通信回線を介して接続された他の撮像装置と通信する通信手段と、
当該装置本体の前記テーマ用フォルダと関連付けられている前記撮像テーマを示す名称と共通の撮像テーマを示す名称と関連付けられている前記他の撮像装置の前記テーマ用フォルダから読み出されて送信され、前記通信手段により受信された画像を取得する第２取得手段と、
前記第２取得手段により取得された画像及び当該装置本体の前記テーマ用フォルダに格納されている画像に対して、同一の所定の処理を行う処理手段と、を更に備えることを特徴とする請求項１〜５の何れか一項に記載の撮像装置。
＜請求項７＞
ユーザによる操作部の所定操作に基づいて入力されて前記第１取得手段により取得された前記撮像テーマを示す名称を前記通信手段により前記他の撮像装置に送信させる第１送信制御手段と、
前記他の撮像装置の前記撮像テーマを示す名称と関連付けられているテーマ用フォルダに格納されている画像の取得指示を前記通信手段により前記他の撮像装置に送信させる第２送信制御手段と、を更に備え、
前記第２取得手段は、前記取得指示に基づいて前記他の撮像装置の前記テーマ用フォルダから読み出されて送信され、前記通信手段により受信された前記撮像テーマを示す名称と関連付けられている画像を取得することを特徴とする請求項６に記載の撮像装置。
＜請求項８＞
前記第１送信制御手段は、前記第１取得手段によりユーザによる操作部の所定操作に基づいて入力された前記撮像テーマを示す名称が取得された場合には、この前記撮像テーマを示す名称を前記通信手段により他の撮像装置に送信させ、前記第１取得手段により他の撮像装置から送信され受信された前記撮像テーマを示す名称が取得された場合には、この前記撮像テーマを示す名称を他の撮像装置に送信しないことを特徴とする請求項７に記載の撮像装置。
＜請求項９＞
前記第１記録制御手段は、前記撮像手段により撮像された所定数の画像のうち、任意の画像を、前記テーマ用フォルダに格納することを特徴とする請求項１〜８の何れか一項に記載の撮像装置。
＜請求項１０＞
前記テーマ用フォルダに付加される名称は、所定の規格に準拠した所定の文字で構成された名称であり、
前記撮像テーマを示す名称は、前記所定の文字以外の文字を含んでなることを特徴とする請求項１〜９の何れか一項に記載の撮像装置。
＜請求項１１＞
撮像テーマを他の撮像装置と共通とする撮像を行う撮像装置を用いた撮像方法であって、
ユーザによる操作部の所定操作に基づいて、或いは、当該装置本体の外部から入力された前記撮像テーマを示す名称を取得する処理と、
前記撮像テーマを示す名称の取得に基づいて、この撮像テーマを示す名称と関連付け情報により関連付けられ、且つ、当該名称と異なる名称が付加されたテーマ用フォルダを生成する処理と、
生成されたテーマ用フォルダに、撮像手段により撮像された画像を格納する処理と、
を含むことを特徴とする撮像方法。
＜請求項１２＞
撮像テーマを他の撮像装置と共通とする撮像を行う撮像装置のコンピュータを、
ユーザによる操作部の所定操作に基づいて、或いは、当該装置本体の外部から入力された前記撮像テーマを示す名称を取得する第１取得手段、
前記第１取得手段による前記撮像テーマを示す名称の取得に基づいて、この撮像テーマを示す名称と関連付け情報により関連付けられ、且つ、当該名称と異なる名称が付加されたテーマ用フォルダを生成する生成手段、
前記生成手段により生成されたテーマ用フォルダに、撮像手段により撮像された画像を格納する第１記録制御手段、
として機能させることを特徴とするプログラム。
【符号の説明】
【００７６】
１００    撮像システム
１        撮像装置
１０１    中央制御部
１０３    撮像部
１０６    操作入力部
１０７    無線処理部
１０７ａ  第１送信制御部
１０７ｂ  第２送信制御部
１０８    テーマ処理部
１０８ａ  テーマ取得部
１０８ｂ  第１判定部
１０８ｃ  第２判定部
１０８ｄ  画像取得部
１０８ｅ  ファイル処理部
１０９    ファイル記録部
１０９ａ  記録制御部
１１１    記録媒体制御部
１１１ａ  フォルダ生成部
１１１ｂ  記録制御部
Ｆ        テーマ用ファイル
【図１】
0005949190.tif 000002
【図２】
0005949190.tif 000003
【図３】
0005949190.tif 000004
【図４】
0005949190.tif 000005
【図５】
0005949190.tif 000006
【図６】
0005949190.tif 000007
【図７】
0005949190.tif 000008